(57)【要約】【課題】血液バッグの白血球除去フィルタを受皿に収納しやすく、また必要最小限の力で血液バッグを安定して押さえることができる採血装置のバッグ受皿を提供すること。【解決手段】底壁（２）の周囲に側壁（３）を突設し、前記底壁（２）の平面部（５）の略中央に細長い溝（４）を形成し、当該溝（４）と前記平面部（５）の間に傾斜部（１１）を形成し、前記平面部（５）と前記側壁（３）の間に傾斜部（１０）を形成した採血装置のバッグ受皿（１）。前記側壁（３）に対向するように、一対の駒（９、９）を形成し、バッグ押さえ（８）の端部を前記駒（９、９）の中心線（Ｃ）よりも後方下部に配置した支点（Ｐ）を介して装着した。【選択図】図１
0003117876.tif 000002
【実用新案登録請求の範囲】
【請求項１】
底壁（２）の周囲に側壁（３）を突設し、前記底壁（２）の平面部（５）の略中央に細長い溝（４）を形成し、当該溝（４）と前記平面部（５）の間に傾斜部（１１）を形成し、前記平面部（５）と前記側壁（３）の間に傾斜部（１０）を形成した、ことを特徴とする採血装置のバッグ受皿（１）。
【請求項２】
前記側壁（３）に対向するように、一対の駒（９、９）を形成し、バッグ押さえ（８）の端部を前記駒（９、９）の中心線（Ｃ）よりも後方下部に配置した支点（Ｐ）を介して装着した、ことを特徴とする請求項１に記載の採血装置のバッグ受皿（１）。
【請求項３】
バッグ押さえ（８）を滑り止め部材で被覆した、ことを特徴とする請求項１ないし請求項２に記載の採血装置のバッグ受皿（１）。
【考案の詳細な説明】
【技術分野】
【０００１】
本考案は、白血球除去フィルタ付き血液バッグを収納する採血装置のバッグ受皿（以下、単に「バッグ受皿」または「受皿」という場合もある）の改良に関する。
【背景技術】
【０００２】
（バッグ受皿の形状）
国内の血液製剤を製造している日本赤十字社は、平成１８年１０月より、輸血用血液の白血球を除去することにより輸血副作用を軽減する目的で、採血用血液バッグに白血球除去フィルタを付けることを決定した。このことにより、採血機のバッグ受け皿には従来の採血バッグに加え白血球除去フィルターまで収納する必要が生じている。
従来の受皿３１は、図５、図６に例示するように、底壁３２の周囲に側壁３３を突設し、前記底壁３２の平面部３５の略中央に細長い溝３４を形成し、前記平面部３５と前記側壁３３の間に、段部４０を形成していた。
ところが白血球除去フィルタのハウジングは、端部に血液出入口が突設されている（完全に平坦ではない）ので、これらの血液出入口が細長い溝３４と交差し、溝３４にいれにくかった。
【０００３】
（バッグ押さえ）
また従来の受皿３１は、図５、図７（図５の一部拡大図）に例示するように、前記側壁３３に対向するように、一対の駒３９、３９を形成し、略Ｕ字状のバッグ押さえ３８の端部を当該駒３９、３９の中心線Ｃの真下に配置した支点Ｐを介して装着していた。
従来の血液バッグ（白血球除去フィルタを装着していない）は、バッグ押さえ３８で、「そっとあてる」程度の軽い力で押さえていた。
しかし、バッグ押さえ３８の支点Ｐが、駒３９、３９の中心線Ｃの真下にあるので、バッグ押さえ３８を血液バッグに当たるまで倒すと、押さえが駒から完全に離れてしまうため、押さえの回転方向の力がなくなって、押さえる力が働かなかった。
従来の血液バッグは、白血球除去フィルタがないためバッグの「すわり」がよく、軽い押さえでも十分であった。ところが白血球除去フィルタ付き血液バッグの場合、白血球除去フィルタが「枕」になり、血液を吸い込んで膨らんだバッグの安定性が悪くなる虞がある。
また、従来のバッグ押さえ３８は、金属（ステンレス）の針金を加工し、金属が剥き出しの状態であった。金属（ステンレス）は、バッグやバッグラベル、採血ラベルなどに対し「すべりやすい」
ため、バッグを固定するためにはかなり強く押さえる必要があった。バッグ押さえの力をあまり強くしすぎると、採血するための吸引圧をより高くする必要があり、場合によっては血液が逆流する虞があった。
【０００４】
採血装置のバッグ受皿に関する公知文献として、例えば特許文献１には、血液バッグを容器支持部（バッグ受皿）内の所定位置に保持する容器係止具を該容器支持部（バッグ受皿）に配設し、かつ、該容器支持部（バッグ受皿）において該容器係止具により支持された該血液バッグを上方から保持するとともに該血液容器の折れ曲がりを防止するために該容器支持部（バッグ受皿）に回転自在に設けられた容器保持具を設けた発明が開示されている。
また特許文献２には、トレー部材（バッグ受皿）は、血液バッグを装填自在にする容積部と、該容積部の奥側で前記血液バッグの浮き上がりを防止する左右一対の鍔部とを形成した発明が開示されている。
しかしながらこれらの特許文献１、２の発明では、白血球除去フィルタ付き血液バッグを収納する点とこれらに対処するための形状・構造については開示されていない。
【特許文献１】特許第２５５３４０４号公報
【特許文献２】特開２００５−６６０１９号公報
【考案の開示】
【考案が解決しようとする課題】
【０００５】
本考案が解決しようとする問題点は、白血球除去フィルタつき血液バッグが採血装置のバッグ受皿にセットしにくい点と、揺動中に血液バッグがぐらつき攪拌の効果が損なわれてしまう点である。
【課題を解決するための手段】
【０００６】
そこで本考案者は以上の課題を解決するために、鋭意検討を重ねた結果次の考案に到達した。
［１］本考案は、底壁（２）の周囲に側壁（３）を突設し、前記底壁（２）の平面部（５）の略中央に細長い溝（４）を形成し、当該溝（４）と前記平面部（５）の間に傾斜部（１１）を形成し、前記平面部（５）と前記側壁（３）の間に傾斜部（１０）を形成した採血装置のバッグ受皿（１）を提供する。
［２］本考案は、前記側壁（３）に対向するように、一対の駒（９、９）を形成し、バッグ押さえ（８）の端部を前記駒（９、９）の中心線（Ｃ）よりも後方下部に配置した支点（Ｐ）を介して装着した［１］に記載の採血装置のバッグ受皿（１）を提供する。
［３］本考案は、バッグ押さえ（８）を滑り止め部材で被覆した［１］ないし［２］に記載の採血装置のバッグ受皿（１）を提供する。
【考案の効果】
【０００７】
本考案のバッグ受皿１は、
（１）底壁２の細長い溝４と平面部５の間に傾斜部１１を形成し、平面部５と側壁３の間に傾斜部１０を形成しているので、血液バッグの白血球除去フィルタを受皿１に収納しやすい。
（２）バッグ押さえ８の端部を、駒９、９の中心線Ｃよりも後方下部に配置した支点Ｐを介して装着しているため、従来よりも強い力で血液バッグを押さえることができる。バッグ押さえ８に滑り止め部材を被覆しているので、血液バッグを必要最小限の力で、安定して押さえることができる。
【考案を実施するための最良の形態】
【０００８】
図１は、本考案の受皿の概略図（正面図）、図２は図１の平面図、図３は図１の左側面図、図４は図１の一部拡大図である。
［バッグ受皿１の形状］
本考案のバッグ受皿１は図１から図４に例示するように、底壁２の周囲に側壁３を突設し、底壁２の平面部５の略中央に細長い溝４を形成し、溝４と平面部５の間に傾斜部１１を形成している。
「溝４と平面部５の間に傾斜部１１を形成する」とは、換言すれば、溝４の外周に傾斜部１１形成する意味である。傾斜部１１は、必ずしも溝４の外周全域に亘って形成する必要はなく、図２例示するように、溝４の外周の一部を除いて、形成するようにしても良い。図２の例示では、細長い溝４の略中央部を除いて、細長い溝４の前方と後方の外周に傾斜部１１を形成しているが、このように略中央部付近のみ傾斜部１１を形成していないのは、略中央部分の平坦な底部に受皿の攪拌機構（図示せず）を接続するための設計上の都合にすぎない。攪拌機構を傾斜部１１に接続するのであれば、略中央部付近にも傾斜部１１を形成しても良い。
さらに平面部５と側壁３の間に傾斜部１０を形成し、バッグ受皿１の底部がいわゆる「すり鉢状」になるように形成している。
このようにバッグ受皿１の底部を、「すり鉢状」に形成することにより、血液バッグの収納空間（容量）が、図５、図６に例示した従来のバッグ受皿３１と比較して広くなり（本考案；約１４００ｍｌ、従来：約１１００ｍｌ）、余裕をもって、白血球除去フィルタやチューブの増加した血液バッグを収納することができる。
傾斜部１０は、必ずしも平面部５と側壁３の間全域に亘って形成しなくても良く、一部を除いて、形成するようにしても良い。
【０００９】
［バッグ押さえ８］
バッグ押さえ８の端部は、駒９、９の中心線Ｃよりも後方下部に配置した支点Ｐを介して装着している。なお側壁３に対向するように、一対の駒９、９を形成し、当該駒９、９に、略Ｕ字状のバッグ押さえ８の端部を装着している点は、従来のバッグ受皿３１と同じであるが、駒９と支点Ｐとの位置関係が異なる。
「駒９」とは、バッグ押さえ８の力を作る部材である。
本考案のバッグ受皿１では、バッグ押さえ８の端部を、駒９、９の中心線Ｃよりも後方下部に配置した支点Ｐを介して取り付けているので血液バッグを、よりしっかりおさえることができる。換言すれば駒９、９の位置を支点Ｐより前方へ移動させたことにより、バッグ押さえ８がより倒れた位置で押さえる力を印加することができる。（これに対して、従来のバッグ受皿１では、駒３９、３９からバッグ押さえ３８が降りきった位置で血液バッグを押さえていたので、押さえる力が弱かった。）
ちなみにバッグ押さえ８の血液バッグを押さえる強度は、２Ｎ（ニュートン）（底壁２から９０ｍｍのとき）で、従来のバッグ受皿３１のバッグ押さえ３８の０．５Ｎ（ニュートン）（底壁２から９０ｍｍのとき）よりも、約４倍の力で血液バッグを押さえることができる。
これらよりバッグ受皿１を揺動する際に、血液バッグのぐらつきを抑え、高い攪拌効果が得られる。
またバッグ押さえ８は、滑り止め部材で被覆している。「滑り止め部材」は、滑り止めの役割を果たすものであれば何でも良いが、合成樹脂等が好ましい。
バッグ押さえ８は、滑り止め部材で被覆しているので、血液バッグを必要最小限の力で、安定して押さえることができる。
［チューブ押さえ６］
バッグ受皿１の前方側壁３には、血液バッグのチューブが、バッグ受皿１からはみだすの防止するためのチューブ押さえ６を装着している。チューブ押さえ６は、図２の例示では、前方側壁３の略半分の幅に形成され、バッグ受皿１の内側に向けて湾曲して形成されている。
［ラベル押さえ７］
バッグ受皿１の後方側壁３には、ラベルや血液バッグが、バッグ受皿１からはみだすの防止するためのラベル押さえ７を装着している。ラベル押さえ７は、図２の例示では、後方側壁３全域と左右の側壁３の一部に亘って形成され、バッグ受皿１の内側に向けて湾曲して形成されている。
【図面の簡単な説明】
【００１０】
【図１】本考案の受皿の概略図（正面図）
【図２】図１の平面図
【図３】図１の左側面図
【図４】図１の一部拡大図
【図５】従来の受皿の概略図（正面図）
【図６】図５の平面図
【図７】図６の一部拡大図
【符号の説明】
【００１１】
１  受皿
２  底壁
３  側壁
４  溝
５  平面部
６  チューブ押さえ
７  ラベル押さえ
８  バッグ押さえ
９  駒
Ｐ  支点
１０  傾斜部
１１  傾斜部
【図４】
0003117876.tif 000003
【図５】
0003117876.tif 000004
【図７】
0003117876.tif 000005
【図１】
0003117876.tif 000006
【図２】
0003117876.tif 000007
【図３】
0003117876.tif 000008
【図６】
0003117876.tif 000009